(57)【要約】      （修正有）【課題】回転体の構造が比較的簡易であり、安価に製造することが容易であると共に耐久性に優れ、また同一構造のまま小型化しても手に持ったときの重量バランスを保つことで操作性に優れる美容ローラーを提供する。【解決手段】基端から先端にかけて一軸方向に縮径しながら伸長した把持部１と、幅広の扁平体に成形され一側面方向へ斜めに二股分岐された一対の圧入穴を有する把持頭部１Ｔと、把持頭部の圧入穴の各先に、所定の取付け構造によって自由回転可能に取り付けられた回転体６と、把持部１の基端において、所定の取付け構造によって一軸方向軸周りに自由回転可能に取り付けられた基部回転体８とから構成される。基部回転体の取付け構造は、ブッシュをすべり軸体としてコアとシャフトとの間に介在させた状態で、コアを自由回転可能に滑動支持する。【選択図】図１
0003216328.tif 000002
【実用新案登録請求の範囲】
【請求項１】
基端から先端にかけて一軸方向に伸長した把持部と、把持部の一軸方向の先端において基端側よりも幅広の扁平体に成形されると共に一軸方向の基端寄り方向かつ一軸方向を含む所定の面方向へ斜めに二股分岐された一対の圧入穴を有する把持頭部と、把持頭部の圧入穴の各先に、所定の取付け構造によって自由回転可能に取り付けられた回転体と、把持部の基端において、所定の取付け構造によって前記一軸周りに自由回転可能に取り付けられた基部回転体とから構成される美容ローラーであって、
少なくとも、基部回転体の前記取付け構造は、
シャフト軸部を有したシャフトと、コアを内装したブッシュとを具備してなり、
コアが大径孔部と小径孔部とからなる内装孔を有し、ブッシュが前記大径孔部に対応した大径筒部と、前記小径孔部に対応した小径筒部とからなる段差を介した異径筒体からなり、
前記ブッシュをすべり軸体として前記コアと前記シャフトとの間に介在させた状態で、前記コアを自由回転可能に滑動支持することを特徴とする美容ローラー。
【請求項２】
把持部の二股の各先の回転体の前記取付け構造は、
シャフト軸部を有したシャフトと、コアを内装したブッシュとを具備してなり、
コアが大径孔部と小径孔部とからなる内装孔を有し、ブッシュが前記大径孔部に対応した大径筒部と、前記小径孔部に対応した小径筒部とからなる段差を介した異径筒体からなり、
前記ブッシュをすべり軸体として前記コアと前記シャフトとの間に介在させた状態で、前記コアを自由回転可能に滑動支持するものであり、
把持部の二股の各先の回転体の前記取付け構造のシャフトと、基部回転体の前記取付け構造のシャフトとが、共通の径のシャフト軸部を有してなることを特徴とする請求項１記載の美容ローラー。
【請求項３】
前記基部回転体は、一軸方向に伸びた縦長楕円球状の頭部を有して成形されると共に、接続端に開口して設けられた内部接続孔に前記コア３が圧入して接着固定され、前記把持部の基部分岐孔部は接続端に開口して設けられた内部接続孔に前記シャフトの基部が圧入して接着固定される、ことを特徴とする請求項１または２記載の美容ローラー。
【請求項４】
前記シャフトの基部は、ローレット加工が施された圧入柱部からなり、前記分岐孔部の圧入穴に圧入することで前記分岐孔部の圧入穴が弾性変形する、ことを特徴とする請求項１ないし３のいずれか記載の美容ローラー。
【請求項５】
前記把持頭部には、一対の圧入穴間の中央であって前記所定の一側面方向に所定の突出量で突出して、誘電体からなる接触球体が部分球状に突出形成され、前記所定の突出量は、回転体の一側面方向への突出量の２５％以上５０％以下の範囲内に設定されることを特徴とする請求項１ないし４のいずれか記載の美容ローラー。
【考案の詳細な説明】
【技術分野】
【０００１】
本考案は、回転体を人体の皮膚の上に転動させて美容の目的で使用する美容ローラーに関する。
【背景技術】
【０００２】
従来この種の美容ローラーとして各種美容ローラーが開示される。例えば、特許文献１には、半導体膜を有する強誘電性の粒状体からのマイナス電位の供給と、クッションリングから発生するマイナスイオンとにより効果を高めた美容ローラーを提供するために、皮膚に接触する面に、強誘電体又は強誘電体を含む材料の表面にｎ型半導体膜がコーティングされ、その上にさらにｐ型半導体膜をコーティングされた粒状体を複数個備えた断面が正多角形の棒状のローラー部と、該ローラー部の一方の端部に装着され、該ローラー部を回動自在に支持してなる把持部とで構成された美容ローラーにおいて、ローラー部の皮膚接触面に穿設された粒状体装着孔に、表面にｎ型半導体、ｐ型半導体が積層コーティングされた粒状体と、その外周にイオン発生材の粉末を混入したクッションリングを装着してなる美容ローラーが開示される。
【０００３】
また、特許文献２には、使用者が手で把持しながら肌面上でローラー部を転動させる美容ローラーにおいて、肌面に対して適度な振動を与えたり、ローラー部の当接する角度を調整することによりマッサージ効果の向上を図る技術を提供するために、肌面にローラー体を当接して回転させることにより美容を行う美容ローラーにおいて、端部近傍に２つのローラー体の回転軸を軸支する軸支部を備えると共に、長手方向の外周を把持可能に形成した略棒状の本体部と、本体部の長手方向から所定の開き角度の異なる方向に突設されるローラー体の２つの回転軸と、各回転軸により回動自在な２つのローラー体とを備える構成において、回転軸の軸方向と垂直な断面における中心位置と、該回転軸の位置が少なくとも一部において偏心して配設される美容ローラーが開示される。
【先行技術文献】
【特許文献】
【０００４】
【特許文献１】特開２０１２−１２０６３３号公報
【特許文献２】特願２０１３−５５５４９２号公報
【考案の概要】
【考案が解決しようとする課題】
【０００５】
しかしながら、従来の美容ローラーは回転体の構造が複雑であり、安価に製造することが困難であると共に耐久性に優れるとは言い切れなった。また小型化することで先側の二つの回転体の重量がかさみ、手に持ったときの重量バランスが悪く操作性に欠けるものであった。
そこで本願は、回転体の構造が比較的簡易であり、安価に製造することが容易であると共に耐久性に優れ、また同一構造のまま小型化しても手に持ったときの重量バランスを保つことで操作性に優れるものを提供することを目的とする。
【課題を解決するための手段】
【０００６】
上記の課題を解決すべく、第１の考案に係る美容ローラーは、基端から先端にかけて一軸方向１Ａに縮径しながら伸長した把持部１と、把持部１の一軸方向の先端において基端側よりも幅広の扁平体に成形されると共に一軸方向の基端寄り方向かつ一軸方向を含む所定の一側面方向へ斜めに二股分岐された一対の圧入穴１３０を有する把持頭部１Ｔと、把持頭部１Ｔの各圧入穴１３０に、所定の取付け構造によって自由回転可能に取り付けられた計二つの回転体６と、把持部１の基端において、所定の取付け構造によって前記伸長した一軸方向軸周りに自由回転可能に取り付けられた１つの基部回転体８とから構成される美容ローラーであって、
少なくとも、基部回転体の前記取付け構造は、
シャフト軸部２１を有したシャフト２と、コア３を内装したブッシュ４とを具備してなり、
コア３が大径孔部と小径孔部とからなる内装孔を有し、ブッシュ４が前記大径孔部に対応した大径筒部４１と、前記小径孔部に対応した小径筒部４２とからなる段差を介した異径筒体からなり、
前記ブッシュ４をすべり軸体として前記コア３と前記シャフト２との間に介在させた状態で、前記コア３を自由回転可能に滑動支持することを特徴とする。
【０００７】
上記構成によれば、ブッシュ４をすべり軸体としてコア３とシャフト２との間に介在させた状態でコア３を自由回転可能に支持しているため、取付け構造が比較的簡易であり、安価に製造することが容易であると共に耐久性に優れ、また同一構造のまま容易に小型化できる美容ローラーを提供することができる。
【０００８】
第２の考案に係る美容ローラーは、上記第１の考案において、把持部の二股の各先の回転体の前記取付け構造は、
シャフト軸部を有したシャフト２と、コア３を内装したブッシュ４とを具備してなり、
コア３が大径孔部３１０と小径孔部３２０とからなる内装孔を有し、ブッシュ４が前記大径孔部に対応した大径筒部４１と、前記小径孔部に対応した小径筒部４２とからなる段差を介した異径筒体からなり、
前記ブッシュ４をすべり軸体として前記コア３と前記シャフト２との間に介在させた状態で、前記コア３を自由回転可能に滑動支持するものであり、
把持部の二股の各先の回転体の前記取付け構造のシャフト２と、基部回転体の前記取付け構造のシャフト２とが、共通の径のシャフト軸部を有してなることを特徴とする。
【０００９】
上記構成によれば、先側の２つの回転体と１つの基部回転体とが共通する滑り回転構造からなり、また、各シャフト２のシャフト軸部２１の径が互いに共通することで、回転体ないし基部回転体を把持部に取り付けたときの重量バランスが大きく崩れることがなく、２つの回転体の使用時、１つの基部回転体の使用時のいずれにおいても、重量バランスに優れた美容ローラーを提供することができる。
【００１０】
第３の考案に係る美容ローラーは、上記第１または第２の考案において、前記基部回転体は、一軸方向に伸びた縦長楕円球状の頭部を有して成形されると共に、接続端に開口して設けられた内部接続孔に前記コア３が圧入して接着固定され、前記把持部の基部分岐孔部は接続端に開口して設けられた内部接続孔に前記シャフト２の基部が圧入して接着固定されることを特徴とする。
【００１１】
上記構成によれば、基部回転体は、縦長の楕円球状の頭部を有して基端に突出した指圧体の形状をなすと共に、内部にコア３が圧入して接着固定され、把持部の分岐孔部は内部にシャフト２の基部が圧入して接着固定されている。このため、簡易な構造とすることができると共に、耐久性に優れたものとなる。また、簡易な構造となるため安価に製造することができ、かつ基部回転体が所定重量を有することで、小型化しながら全体の重量バランスを保つことのできる美容ローラーを提供することができる。
【００１２】
第４の考案に係る美容ローラーは、上記第１ないし第３のいずれかの考案において、前記シャフト２の基部は、ローレット加工２３Ｌが施された圧入柱部２３からなり、前記分岐孔部の圧入穴に圧入することで前記分岐孔部の圧入穴が弾性変形する、ことを特徴とする。
【００１３】
上記構成によれば、シャフト２の基部は、ローレット加工２３Ｌが施された圧入柱部２３からなり、分岐孔部の圧入穴に圧入することで分岐孔部の圧入穴が弾性変形する。このため、簡易な構造でシャフト２が圧入穴１３０から抜け落ちたり、内部で回転することを防止でき、かつ、耐久性に優れた構造となる。また、安価に製造することができ、かつ同一構造のまま容易に小型化できる美容ローラーを提供することができる。
【００１４】
第５の考案に係る美容ローラーは、上記第１ないし第４のいずれかの考案において、把持頭部は、一対の圧入穴間の中央であって前記所定の一側面方向に所定の突出量で突出して、誘電体からなる接触球体が部分球状に突出形成され、前記所定の突出量は、回転体の一側面方向への突出量の２５％以上５０％以下の範囲内に設定される、ことを特徴とする。
【００１５】
上記構成によれば、２つの回転体６の間に接触球体が所定の突出量で突出してなり、２つの回転体の転動操作時に接触球体が静電気を持ちながら接触することで、回転体と共に接触球体による３点の刺激を与えながらマッサージすることができる。
【考案の効果】
【００１６】
以上説明したように、本考案によれば、回転体の構造が比較的簡易であり、安価に製造することが容易であると共に耐久性に優れ、また同一構造のまま小型化しても手に持ったときの重量バランスを保つことで操作性に優れる美容ローラーを提供することができる。
【図面の簡単な説明】
【００１７】
【図１】本考案の実施例１に係る美容ローラーの正面図。
【図２】実施例１の美容ローラーの側面図。
【図３】実施例１の美容ローラーの回転体の開き角度を示す、２つの回転軸を含む面の法線方向の正面上方図。
【図４】図１のＡ−Ａ断面図。
【図５】回転体の取付け構造を示す図３のＢ−Ｂ断面図（ａ）、及びその部品構成を示す部分分解図（ｂ）。
【図６】基部回転体の取付け構造を示す図４のＣ−Ｃ断面図（ａ）、及びその部品構成を示す部分分解図（ｂ）。
【考案を実施するための形態】
【００１８】
以下、本考案の実施例に係る美容ローラーについて説明する。
【００１９】
本考案の実施例に係る美容ローラーは、基端から先端にかけて一軸方向に伸長した把持部１と、把持部の一軸方向の先端において基端側よりも幅広の扁平体に成形されると共に一軸方向の基端寄り方向かつ一軸方向を含む所定の一側面方向へ斜めに二股分岐された一対の圧入穴１３０を有する把持頭部１Ｔと、把持頭部１Ｔの圧入穴１３０の各先に、所定の取付け構造によって自由回転可能に取り付けられた回転体６と、把持部の基端において、所定の取付け構造によって前記一軸周りに自由回転可能に取り付けられた基部回転体８とから構成される（図１）。
【００２０】
以下、図１〜図６を参照して実施例１に係る美容ローラーについて説明する。実施例１に係る美容ローラーは、先端が二股分岐された把持部１と、把持部１の二股の各先に、所定の取付け構造によって自由回転可能に取り付けられた回転体６とから構成される。
【００２１】
把持部１は、把持部本体１１と、この把持部本体１１の先端側に二股に分岐して設けられた２つの分岐部１２と、把持部本体１１に係止される接手枠１４とから構成される。把持部本体１１の内部には、軽量化および材料費を節約のために軸方向に沿って本体ヌスミ穴１１０が形成され、この本体ヌスミ穴１１０内には、強度向上（補強）のためのリブ板１１１〜１１５が設けられてなる。
【００２２】
また、２つの分岐部１２は、各々分岐端側に開口を有する圧入穴１３０が設けられてなり、把持部１の基端にも同様に、開口を有する圧入穴１３０が設けられている。
【００２３】
また、回転体６を取り付けるための一対の圧入穴１３０は、図３に示すように、１１５度以上１２５度以下の範囲内の所定の開き角度６６θの開き回転軸をなす。また、この開き回転軸６Ａは基部寄りの斜め方向（図１における斜め下方向）を向き、図４に示すように、側面視において把持部１の一軸方向の伸長軸１Ａに対して３５度以上４５度以下の所定の傾斜角度１６θで、一軸方向の伸長軸１Ａを含む所定の面法線方向（正面側方向）へ傾斜する。
【００２４】
把持部１はまた、基端から先端にむかって徐々に縮径する円形断面の棒体からなると共に、その上端部分が、図１，図３に示す正面視において幅方向に拡がった幅広の扇状外形の扁平体１Ｔに幅広変形して成形される。また、把持頭部１Ｔには、一対の圧入穴１３０間の中央であって前記正面方向に所定の突出量７Ｆで突出して、誘電体からなる接触球体７が部分球状に突出形成される。接触球体７の所定の突出量は、回転体６の一側面方向への突出量の２５％以上５０％以下の範囲内、かつ、回転体の取付け基部の正面側の最大突出位置までの突出基部量６Ｆの６０％以上７５％以下の範囲内に設定される（図７）。接触球体７は、例えば、トルマリン鉱石等の誘電体からなり、その電場の中に置くと電気分極を生じ表面に電荷が現れる機能から、接触による刺激を促進するものである。この開き角度、傾斜角度、及び突出量の設定により、接触球体７が回転体６の使用時に同時に接触して３点マッサージを行うことのできるものとなっている。
【００２５】
また、回転体６は、略球形状の中空体であり、表面に矩形ないし三角形のカット面６０を周方向及び回転体先部６Ｔ方向へ縦横に連続形成してなる。このカット面６０は中央が僅かに窪んだ湾曲面からなり、回転体の周部において横長矩形の外縁形状をなし、回転体の回転体先部６Ｔ寄りの先部において縦長大径ないし三角形の外縁形状をなす（図１〜図４）。
【００２６】
次に、把持部１に回転体６ないし基部回転体８を取り付けるための取付け構造について説明する（図５、６）。いずれの取り付け構造においても、シャフト軸部を有したシャフト２と、コア３を内装したブッシュ４とを具備してなる。ここで、シャフト２と、コア３、およびブッシュ４は、各々樹脂で構成されているため、安価に製造することが可能である。また、シャフト２を中心軸として回転運動するブッシュ４は、テフロン（登録商標）等、滑りのよい樹脂からなることが好ましい。テフロンは、摺動性に優れ、かつ耐久性も有するため本考案に好適である。
【００２７】
シャフト２は、シャフト軸部２１と、拡径柱部２２と、圧入柱部２３とからなる。シャフト軸部２１は、後述するブッシュ４の軸孔４０内に挿通され、回転体６の回転軸となる円柱状体である。また、シャフト軸部２１の一端側には外螺子部２１Ｓが設けられており、シャフト軸部２１をブッシュ４の軸孔４０内に挿通した後、外螺子部２１Sに止めナット５を螺合することで、シャフト軸部２１にブッシュ４が回転可能に係止される。
【００２８】
止めナット５は、内部にシャフト軸部２１の外螺子部２１Ｓと螺合する螺子孔部５１が形成され、シャフト軸部２１に螺合した際に、シャフト軸部２１の端面と当接する圧入リング５２が設けられている。
【００２９】
シャフト２の拡径柱部２２は、外径の大きさが、把持部１の分岐部１２に設けられた圧入穴１３０の内径と略同じか少し小さくなっており、この圧入穴１３０に収納されるように構成されている。また、拡径柱部２２には、コア３のコア基端面３Ｅおよびブッシュ４のブッシュ基端面４Ｅと当接して回転体６の回転を安定さえるための台状部２２１が設けられている。台状部２２１を設けることにより、コア３のコア基端面３Ｅおよびブッシュ４のブッシュ基端面４Ｅと、分岐部１２の分岐端１２Ｅとの間に隙間が生じ、回転体６が分岐部１２の分岐端１２Ｅに引っかかることなくスムーズに回転する。
【００３０】
また、シャフト２の圧入柱部２３は、外径の大きさが、把持部１の分岐部１２に設けられた圧入穴１３０の内径と略同じとなっており、この圧入穴１３０に圧入して接着固定されることで、シャフト２が把持部１の分岐部１２に係止される構成となっている。また、圧入柱部２３の外周面には摩擦力を高める目的でローレット加工２３が施されており、圧入柱部２３が圧入面１３１で滑りが生じないようになっている。また、分岐孔部２は、弾性樹脂材で構成されているため、圧入柱部２３を分岐孔部２の圧入面１３１に面圧接触させることで分岐孔部２の圧入穴１３０が弾性変形する。
【００３１】
コア３は、大径孔部３１と小径孔部３２とからなる内装孔を有する。また、コア３は、大径孔部３１が設けられた側の端面の外周に沿って切り欠いたノッチ部３Ｎが形成されている。このノッチ部３Ｎに止めリング３３が嵌め込まれた状態で、コア３が回転体６の第一筒孔６１内に圧入して接着固定される。このため、コア３が回転体６の第一筒孔６１内で滑ることなく係止される。
【００３２】
ブッシュ４は、コア３の大径孔部３１に対応した大径筒部４１と、コア３の小径孔部３２に対応した小径筒部４２とからなる段差を介した異径筒体からなり、中心部に軸方向に貫通する軸孔４０が設けられてなる。軸孔４０には、前述したシャフト２のシャフト軸部２１が挿通される。ブッシュ４は、すべり軸体としてコア３とシャフト２との間に介在された状態で、コア３を自由回転可能に滑動支持する。
【００３３】
上記のように、美容ローラーは、大径筒部４１と小径筒部４２とが軸方向に連設したブッシュ４を２つ具備し、２つのブッシュ４が互いの小径筒部４２を対向させた状態で軸方向に組み合わされ、シャフト軸部２１が二つのブッシュ４を対向させ組み合わされた状態のまま挿通し、回転可能に保持する。
【００３４】
以上のように、実施例１に係る美容ローラーは、先端が二股分岐された把持部１と、把持部１の二股の各先に、所定の取付け構造によって自由回転可能に取り付けられた回転体６とから構成される美容ローラーである。そして、把持部１に回転体６を取り付ける取付け構造は、シャフト軸部２１を有したシャフト２と、コア３を内装したブッシュ４とを具備する。
【００３５】
そして、コア３が大径孔部３１と小径孔部３２とからなる内装孔を有し、ブッシュ４が大径孔部３１に対応した大径筒部４１と、小径孔部３２に対応した小径筒部４２とからなる段差を介した異径筒体からなり、ブッシュ４をすべり軸体としてコア３とシャフト２との間に介在させた状態でコア３を自由回転可能に滑動支持する。
【００３６】
上記構成によれば、ブッシュ４をすべり軸体としてコア３とシャフト２との間に介在させた状態でコア３を自由回転可能に支持しているため、取付け構造が比較的簡易であり、安価に製造することが容易であると共に耐久性に優れ、また同一構造のまま容易に小型化できる美容ローラーを提供することができる。
【００３７】
また、実施例１に係る美容ローラーは、シャフト２に台状部２２１が突出形成され、この台状部２２１にブッシュ４の基端面が当接するため、ブッシュ４がスムーズに回転すると共に耐久性に優れた美容ローラーを提供することができる。
【００３８】
また、実施例１に係る美容ローラーは、回転体６は、内部にコア３が圧入して接着固定され、把持部１の分岐孔部（分岐部１２）は内部にシャフト２の基部が圧入して接着固定される。このため、簡易な構造とすることができると共に、耐久性に優れたものとなる。また、簡易な構造となるため安価に製造することができ、かつ同一構造のまま容易に小型化できる美容ローラーを提供することができる。
【００３９】
また、実施例１に係る美容ローラーは、シャフト２の基部は、ローレット加工２３Ｌが施された圧入柱部２３からなり、分岐孔部（分岐部１２）の圧入穴１３０に圧入することで分岐孔部（分岐部１２）の圧入穴１３０が弾性変形する。このため、簡易な構造でシャフト２が圧入穴１３０から抜け落ちたり、内部で回転することを防止でき、かつ、耐久性に優れた構造となる。また、安価に製造することができ、かつ同一構造のまま容易に小型化できる美容ローラーを提供することができる。
【００４０】
また、実施例１に係る美容ローラーは、大径筒部４１と小径筒部４２とが軸方向に連設したブッシュ４を２つ具備し、２つのブッシュ４が互いの小径筒部４２を対向させた状態で軸方向に組み合わされ、前記シャフト２の軸部が前記２つのブッシュ４を対向させ組み合わされた状態のまま挿通し、回転可能に保持する。このため、回転体の構造が比較的簡易であり、安価に製造することが容易であると共に耐久性に優れ、また同一構造のまま容易に小型化できる美容ローラーを提供することができる。
【００４１】
図５は、実施例１に係る美容ローラーの回転体の取付け構造の軸断面図（図３のＢ−Ｂ断面図）と、その構造を示す要部分解断面図である。
【００４２】
この取付け構造は、ブッシュ４が大径筒部４１および小径筒部４２とからなる段差を介した２つの異径筒体からなり、この２つの小径筒部４２の端面４２Ｅを互いに当接させた状態で、コア３が有する２つの大径孔部３１と１つの小径孔部３２とからなる内装孔内に内装されている。
【００４３】
図６は、実施例１に係る美容ローラーの基部回転体の取付け構造の軸断面図（図４のＣ−Ｃ断面図）と、その構造を示す要部分解断面図である。
【００４４】
ブッシュ４の軸孔４０の両端部には、軸孔４０の内周に沿って切り欠いたノッチ部が形成されており、このノッチ部に滑りリング４３が嵌め込まれた状態で、ブッシュ４の軸孔４０内にシャフト軸部２１が挿通されている。このため、ブッシュ４がシャフト軸部２１に対して回転自由に係止される。
【００４５】
（その他の実施例）
本考案は各実施例に示した構成、各種条件に限定されることはなく、これらの実施例は、例として提示したものであり、考案の範囲を限定することは意図していない。これら新規な実施例は、その他の様々な形態で実施されることが可能であり、考案の要旨を逸脱しない範囲で、種々の省略、置き換え、変更を行うことができる。これら実施例やその変形は、考案の範囲や要旨に含まれるとともに、特許請求の範囲に記載された考案とその均等の範囲に含まれる。
【符号の説明】
【００４６】
１  把持部
１Ｔ  把持頭部
１２  分岐孔部
１３１  圧入面
１３０  圧入穴
１３０B  分岐穴底
１４  接手枠
１４１  係止爪
１４２  嵌入溝
１４３  波状突起
１５  内装シート
２  シャフト
２１  シャフト軸部
２１S  外螺子部
２２  拡径柱部
２２１  台状部
２３  圧入柱部
２３L  ローレット加工
３  コア
３１  大孔部
３２  小孔部
３３  止めリング
３N  ノッチ部
３E  コア基端面
４  ブッシュ
４０  軸孔
４１  大筒部
４２  小筒部
４３  止めリング
４E  ブッシュ基端面
５  止めナット
５１  螺子孔部
５２  圧入リング
６  回転体
６０  カット面
６T  回転体先部
７  接触球体
７Ｔ  突出端
【図１】
0003216328.tif 000003
【図２】
0003216328.tif 000004
【図３】
0003216328.tif 000005
【図４】
0003216328.tif 000006
【図５】
0003216328.tif 000007
【図６】
0003216328.tif 000008
【手続補正書】
【提出日】平成29年8月17日(2017.8.17)
【手続補正１】
【補正対象書類名】実用新案登録請求の範囲
【補正対象項目名】全文
【補正方法】変更
【補正の内容】
【実用新案登録請求の範囲】
【請求項１】
基端から先端にかけて一軸方向に伸長した把持部と、把持部の一軸方向の先端において基端側よりも幅広の扁平体に成形されると共に一軸方向の基端寄り方向かつ一軸方向を含む所定の面方向へ斜めに二股分岐された一対の圧入穴を有する把持頭部と、把持頭部の圧入穴の各先に、所定の取付け構造によって自由回転可能に取り付けられた回転体と、把持部の基端において、所定の取付け構造によって前記一軸周りに自由回転可能に取り付けられた基部回転体とから構成される美容ローラーであって、
少なくとも、基部回転体の前記取付け構造は、
シャフト軸部を有したシャフトと、コアを内装したブッシュとを具備してなり、
コアが大径孔部と小径孔部とからなる内装孔を有し、ブッシュが前記大径孔部に対応した大径筒部と、前記小径孔部に対応した小径筒部とからなる段差を介した異径筒体からなり、
前記ブッシュをすべり軸体として前記コアと前記シャフトとの間に介在させた状態で、前記コアを自由回転可能に滑動支持することを特徴とする美容ローラー。
【請求項２】
把持部の二股の各先の回転体の前記取付け構造は、
シャフト軸部を有したシャフトと、コアを内装したブッシュとを具備してなり、
コアが大径孔部と小径孔部とからなる内装孔を有し、ブッシュが前記大径孔部に対応した大径筒部と、前記小径孔部に対応した小径筒部とからなる段差を介した異径筒体からなり、
前記ブッシュをすべり軸体として前記コアと前記シャフトとの間に介在させた状態で、前記コアを自由回転可能に滑動支持するものであり、
把持部の二股の各先の回転体の前記取付け構造のシャフトと、基部回転体の前記取付け構造のシャフトとが、共通の径のシャフト軸部を有してなることを特徴とする請求項１記載の美容ローラー。
【請求項３】
前記基部回転体は、一軸方向に伸びた縦長楕円球状の頭部を有して成形されている、ことを特徴とする請求項１または２記載の美容ローラー。
【請求項４】
前記シャフトの基部は、ローレット加工が施された圧入柱部からなる、ことを特徴とする請求項１ないし３のいずれか記載の美容ローラー。
【請求項５】
前記把持頭部には、一対の圧入穴間で、誘電体が突出形成されていることを特徴とする請求項１ないし４のいずれか記載の美容ローラー。
【請求項６】
前記誘電体の突出量は、前記回転体の一側面方向への突出量の２５％以上５０％以下の範囲内に設定されることを特徴とする請求項５に記載の美容ローラー。
【手続補正２】
【補正対象書類名】明細書
【補正対象項目名】００１０
【補正方法】変更
【補正の内容】
【００１０】
第３の考案に係る美容ローラーは、上記第１または第２の考案において、前記基部回転体は、一軸方向に伸びた縦長楕円球状の頭部を有して成形されているとよい。そのとき、接続端に開口して設けられた内部接続孔に前記コア３が圧入して接着固定され、前記把持部の基部の接続端に開口して設けられた内部接続孔に前記シャフト２の基部が圧入して接着固定されるとよい。
【手続補正３】
【補正対象書類名】明細書
【補正対象項目名】００１２
【補正方法】変更
【補正の内容】
【００１２】
第４の考案に係る美容ローラーは、上記第１ないし第３のいずれかの考案において、前記シャフト２の基部は、ローレット加工２３Ｌが施された圧入柱部２３からなるとよい。そのとき、圧入穴に圧入することで圧入穴が弾性変形する。
【手続補正４】
【補正対象書類名】明細書
【補正対象項目名】００１４
【補正方法】変更
【補正の内容】
【００１４】
第５の考案に係る美容ローラーは、上記第１ないし第４のいずれかの考案において、把持頭部には、一対の圧入穴間で、誘電体が突出形成されている。そのとき、把持頭部は、一対の圧入穴間の中央であって所定の一側面方向に所定の突出量で突出して、誘電体からなる接触球体が部分球状に突出形成されているとよい。誘電体の突出量は、回転体の一側面方向への突出量の２５％以上５０％以下の範囲内に設定されるとよい。